(57)【要約】【課題】屋根の上に積もった雪を可能な限り全面的に溶かすことができるとともに、自重によって雪を落とすことができるようにした融雪装置を提供する。【解決手段】傾斜面を有する屋根９に積もった雪を溶かす融雪装置１において、屋根９の上に配置され、熱水もしくは水蒸気を噴出させる孔部６を有する流水管５と、当該流水管５の孔部６から噴出された熱水もしくは水蒸気の上下方向の拡散を防止する板状の拡散防止板８とを設ける。そして、流水管５を屋根９の傾斜方向に沿って設け、その流水管５から左右方向に熱水や水蒸気を噴出させる。また、屋根９の最上部に沿って流水管５を取り付け、そこから下方に向けて熱水や水蒸気を噴出させ、さらには、各流水管５から雪の積層方向に向けて水蒸気を噴出させる。【選択図】図１
2012224977.tif 000002
【特許請求の範囲】
【請求項１】
傾斜面を有する屋根に積もった雪を溶かす融雪装置において、
屋根の上に配置され、熱水もしくは水蒸気を噴出させる孔部を有する流水管と、
当該流水管の孔部から噴出された熱水もしくは水蒸気の上下方向の拡散を防止して左右方向に拡散させるための板状の拡散防止板と、
を設けるようにしことを特徴とする融雪装置。
【請求項２】
前記拡散防止板が、流水管の上下に挟み込むように設けたものである請求項１に記載の融雪装置。
【請求項３】
前記流水管が、屋根の傾斜方向に沿って配置されるものである請求項１に記載の融雪装置。
【請求項４】
前記流水管が、屋根の傾斜方向および屋根の最上部に設けられ、屋根の左右方向及び傾斜方向に沿って熱水もしくは水蒸気を噴出させるようにしたものである請求項１に記載の融雪装置。
【発明の詳細な説明】
【技術分野】
【０００１】
本発明は、屋根の上に積もった雪を溶かして、その屋根の傾斜面に沿って落下させるようにした融雪装置に関するものである。
【背景技術】
【０００２】
現在、雪の多い地方などでは、屋根の上に積もった雪を溶かして地上へ落下させるようにした融雪装置などが用いられている。このような融雪装置としては、例えば、ヒーターを内蔵した平面状の融雪パネルを屋根全面に敷設したものや、図８に示すように、屋根１９の最上部に設けられる流水管５９から熱水や水蒸気などを噴出させて雪を溶かし、その溶かした雪を地上へ滑らせて落下させるようにした装置などが提案されている（特許文献１や特許文献２など）。
【０００３】
このような装置を用いれば、融雪パネルによる熱や流水管５９の孔部から噴出させた熱水や水蒸気などによって屋根の雪を溶かすことができ、人間がわざわざ屋根の上に登って雪を落とすなどの作業を行う必要がなくなる。
【先行技術文献】
【特許文献】
【０００４】
【特許文献１】特開２００２−８１２２５号公報
【特許文献２】特開平１０−２３０１９１号公報
【発明の概要】
【発明が解決しようとする課題】
【０００５】
しかしながら、このような融雪装置を用いて屋根の上の雪を溶かす場合であっても、次のような問題を生じる。
【０００６】
すなわち、前者のように、平面状の融雪パネルを屋根の全面に設けるようにしたものでは、屋根の全面に融雪パネルを取り付ける必要があり、コストがかかるばかりでなく、その取り付け作業に時間がかかってしまう。
【０００７】
また、上記特許文献１や特許文献２に示すような融雪装置では、導入コストを大幅に低減させることができるものの、このような融雪装置では、流水管５９に設けられた孔部から熱水や水蒸気を噴出させるため、その孔部の近傍の雪しか溶かすことができない。一方、このような装置を使って屋根に積もった雪を全面的に溶かす場合は、孔部のピッチを短くして可能な限り全面的に雪を溶かすようにしなければならないが、このようにピッチを短くすると、各孔部から噴出される熱水や水蒸気の圧力が小さくなってしまい、遠くの方の雪まで溶かすことができなくなってしまう。
【０００８】
さらには、このような特許文献１や特許文献２などの装置において、屋根の最上部に配置した流水管から下方に熱水や水蒸気を噴出させる場合、その圧力により屋根の下端部近傍の雪までも溶かすことができず、その溶かしきれなかった下方の雪で上方の雪が堰き止められて、自重で雪を落下させることができなくなるとい問題も生じる。
【０００９】
そこで、本発明は、上記課題に着目してなされたもので、屋根の上に積もった雪を可能な限り全面的に溶かすことができるとともに、自重によって雪を落とすことができるようにした融雪装置を提供することを目的とする。
【課題を解決するための手段】
【００１０】
すなわち、本発明は上記課題を解決するために、傾斜面を有する屋根に積もった雪を溶かす融雪装置において、屋根の上に配置され、熱水もしくは水蒸気を噴出させる孔部を有する流水管と、当該流水管の孔部から噴出された熱水もしくは水蒸気の上下方向の拡散を防止して左右方向に拡散させるための板状の拡散防止板を設けるようにしたものである。
【００１１】
このように構成すれば、拡散防止板によって熱水や水蒸気の上下方向の拡散を防止することができるため、拡散防止板の先端から左右方向に熱水や水蒸気を噴出させて雪を全面的に溶かすことができるようになる。また、その拡散防止板の上に積もった雪についても、その拡散防止板に伝わった熱によって溶かすことができ、その上の雪を落下させることができるようになる。
【００１２】
また、このような発明において、流水管の上下面に拡散防止板を挟み込むように設けるようにする。
【００１３】
このようにすれば、瓦などのように波打った部分に熱水や水蒸気を噴出させる場合であっても、流水管の下側にも拡散防止板を設けているので、均一に拡散防止板の先端部分から熱水や水蒸気を噴出させることができるようになる。
【００１４】
さらに、流水管を、屋根の傾斜方向に沿って配置させるようにする。
【００１５】
このようにすれば、屋根の傾斜方向（すなわち、上下方向）に沿って流水管を配置しているので、拡散防止板の近傍に積もった雪をすべて上下方向に沿って溶かすことができ、その部分から先に雪を落下させることができるようになる。
【００１６】
加えて、流水管を、屋根の傾斜方向および屋根の最上部の左右方向に設けるとともに、屋根の左右方向及び傾斜方向に沿って熱水もしくは水蒸気を噴出させるようにする。
【００１７】
このようにすれば、屋根に積もった雪を傾斜方向に沿ってすべて溶かすとともに、上方向から噴出された熱水や水蒸気によって、その溶けた雪を下方へ押し流すこともできるようになる。
【発明の効果】
【００１８】
本発明によれば、傾斜面を有する屋根に積もった雪を溶かす融雪装置において、屋根の上に配置され、熱水もしくは水蒸気を噴出させる孔部を有する流水管と、当該流水管の孔部から噴出された熱水もしくは水蒸気の上下方向の拡散を防止して左右方向に拡散させるための板状の拡散防止板を設けるようにしたので、拡散防止板で熱水や水蒸気の上下方向の拡散を防止することができ、拡散防止板の先端から左右方向に熱水や水蒸気を噴出させて雪を全面的に溶かすことができるようになる。また、その拡散防止板の上に積もった雪についても、その拡散防止板に伝わった熱によって溶かすことができ、その雪を落下させることができるようになる。
【図面の簡単な説明】
【００１９】
【図１】本発明の一実施の形態における融雪装置を屋根に取り付けた状態を示す図
【図２】同形態における加熱装置を示す図
【図３】同形態における流水管と拡散防止板を示す斜視図
【図４】同形態における流水管と拡散防止板の断面図
【図５】他の実施の形態における融雪装置を屋根に取り付けた状態を示す図
【図６】他の実施の形態における融雪装置を屋根に取り付けた状態を示す図
【図７】図６における流水管と拡散防止板を示す図
【図８】従来例における融雪装置の概略図
【発明を実施するための最良の形態】
【００２０】
以下、本発明の一実施の形態について図面を参照しながら説明する。この実施の形態における融雪装置１は、図１から図４に示すように、傾斜面を有する屋根９の上に着脱可能に取り付けられるものであって、水を加熱させる加熱装置２と、その加熱装置２で加熱された熱水や水蒸気を屋根９側へと導く流水管５と、屋根９の上に取り付けられた流水管５に間欠的に設けられた孔部６（図３参照）とを有してなるもので、特徴的には、その流水管５の上下に挟み込むように拡散防止板８を取り付けるようにしたものである。そして、このように上下に拡散防止板８を取り付けることによって、孔部６から放射状に拡散した熱水や水蒸気を拡散防止板８で左右方向に分散させ、その先端部分から均一に噴出させるようにしたものである。以下、本実施の形態における融雪装置１について詳細に説明する。
【００２１】
まず、加熱装置２は、図２に示すように、オイル３１を貯留するオイルタンク３と、そのオイルタンク３の内部に設けられたヒーター４とを設けて構成されている。このオイルタンク３には、家庭の水道管に接続された流水管５が通されており、ヒーター４によってオイル３１を高温に加熱し、その熱によって間接的に流水管５内の水を加熱するようにしている。オイルタンク３によって流水管５の水を加熱する場合は、可能な限り効率的に水を熱水や水蒸気に加熱させるようにするべく、流水管５を細く形成するとともにオイル３１の中で蛇行させるようにしておく。なお、ここで、流水管５の水を加熱させる場合、この実施の形態では、水蒸気になるまで高温に加熱させて、約１７００倍にまで膨張させて水蒸気を排出させるようにしておくものとするが、熱水の状態で排出させてもよい。
【００２２】
一方、流水管５は、家庭の水道管から通された水をオイルタンク３に導き、そこで加熱させて、屋根９の上側にまで水蒸気を導くことができるように構成されている。この流水管５における屋根９までの部分については、加熱した水蒸気が外気によって冷却されてしまわないように保温部材を巻き付けておくか、あるいは、その流水管５自体を断熱性素材で構成しておくようにする。また、屋根９の上に設けられた流水管５については、屋根９の傾斜方向である上下方向に沿って取り付けるようにしておく。このとき、その屋根９が瓦９１で構成されていて凹凸が存在するような場合は、その凸部よりも上に流水管５を位置させるようにしておき、これによって遠くまで水蒸気を噴出させるようにしておく。この流水管５を屋根９に取り付ける場合は、屋根９の最上部で固定具７などを用いて上端部を固定しておき、これによって流水管５を屋根９から落下させないようにしておく。
【００２３】
この屋根９上に設けられた流水管５の左右両側面には、図３や図４に示すように、水蒸気などを噴出させるための孔部６が間欠的に設けられており、そこから水蒸気を高圧で噴出させるようにしている。一般的に、高圧で水蒸気を噴出させると、孔部６から水蒸気が放射状（すなわち、上下左右方向）に拡散されてしまい、その孔部６の近傍に位置する雪しか溶かすことができなくなってしまう。そこで、この孔部６近傍以外の雪や孔部６から遠方の雪をも溶かすことができるように、板状の拡散防止板８を流水管５に取り付けるようにしている。
【００２４】
この拡散防止板８は、流水管５の上下を挟み込むように取り付けられるものであって、孔部６から噴出された水蒸気の上下方向の拡散を防止し、その分だけ水蒸気を左右方向に拡散させて先端部分の隙間から噴出させるようにしたものである。この拡散防止板８を流水管５に取り付ける場合、板状の部材の中央に凹部８１を設けてそこに流水管５を溶着させ、その流水管５の左右両側に板状の傘部８２を位置させるようにする。この傘部８２の先端部８３については、流水管５の径よりも極端に大きいと、孔部６から噴出させた水蒸気を横方向に拡散させることができなくなるため、その先端部８３から均一に水蒸気を噴出させることができるような隙間幅に設定しておく。このようにすると、孔部６から上下左右に拡散させた水蒸気については、上下の拡散防止板８で上下方向の拡散が防止されて左右方向に噴出させることができ、雪の下層部分を平面状に溶かすことができる。また、このとき拡散防止板８を熱伝導性の高い金属で構成しておけば、拡散防止板８を加熱させることができ、その上に積もった雪についても溶かすことができるようになる。しかも、この拡散防止板８は傾斜方向に沿って上下方向に設けられているため、その部分の雪を拡散防止板８の上から滑らせて落下させることができるようになる。
【００２５】
また、この流水管５については、屋根９の上下方向に取り付けるだけでなく、図５に示すように、屋根９の最上部に沿って左右方向に取り付けるようにしてもよい。この最上部に取り付ける場合も同様に、屋根９の下方に向けて孔部６を設けるとともに、その流水管５の上下を挟み込むように拡散防止板８を設けるようにする。なお、この実施の形態などにおいても、図１などと同じ符号を示したものは同じ構成を有するものとし、屋根９の最上部に設けられた流水管５についても拡散防止板８を取り付けているものとする。
【００２６】
このようにすると、傾斜方向に取り付けられた流水管５によって屋根９の傾斜方向に沿った雪を溶かすことができるとともに、最上部の左右方向に設けられた流水管５によって雪を下方に押し込むことができる。この場合、特に傾斜方向に設けられた左右の流水管５と最上部の流水管５で囲まれた領域については、上方および左右方向から雪を溶かすことができるため、より雪を落下させやすくすることができる。
【００２７】
また、このように流水管５の側面から水蒸気を噴出させた場合、雪の最下層部分ではその雪を溶かすことができるが、それよりも上層側に積もった雪については溶かすことができないため、そこで凍り付いた部分によって雪を落下させることができなくなる可能性がある。そこで、図６や図７に示すように、傾斜方向に沿って設けられた流水管５の上面部にも孔部６を設けておき、そこから上方（雪の積層方向）に向けて水蒸気などを噴出させるようにすることもできる。このようにすれば、雪の最下層だけでなく、上方に噴出させた水蒸気によって雪を切断することができ、より雪を落下させやすくすることができるようになる。なお、この場合においても、上部に設けられた孔部６を挟み込むように拡散防止板８を設けるようにすると、より直線的に雪を切断させることができるようになる。なお、流水管５の上部に孔部６を形成する場合についても同様に、その孔部６を挟み込むように拡散防止板８を取り付け、これによって平面状に水蒸気を噴出させるようにしておくようにする。
【００２８】
このように上記実施の形態によれば、傾斜面を有する屋根９に積もった雪を溶かす融雪装置１において、屋根９の上に配置され、熱水もしくは水蒸気を噴出させる孔部６を有する流水管５と、当該流水管５の孔部６から噴出された熱水もしくは水蒸気の上下方向の拡散を防止する板状の拡散防止板８とを設けるようにしたので、拡散防止板８によって熱水や水蒸気の上下方向の拡散を防止することができ、拡散防止板８の先端から平面状に熱水や水蒸気を噴出させて雪を全面的に溶かすことができるようになる。また、その拡散防止板８の上に積もった雪についても、その拡散防止板８の熱によって溶かして、その雪を落下させることができるようになる。
【００２９】
また、流水管５を挟み込むように上下に拡散防止板８を設けるようにしたので、瓦９１などの波打った部分に熱水や水蒸気を噴出させる場合であっても、上下に挟み込むように設けられた拡散防止板８によって、均一にその拡散防止板８の先端部分から熱水や水蒸気を噴出させることができるようになる。
【００３０】
さらに、流水管５を屋根９の傾斜方向に沿って配置させるようにしたので、拡散防止板８の近傍に積もった雪については上下方向にすべて溶かすことができ、その部分から先に雪を落下させることができるようになる。しかも、その落下に伴って、隣接する雪も引き連れて同時に他の部分の雪も落とすことができるようになり、より多くの雪を落下させるようにすることができる。
【００３１】
加えて、流水管５を屋根９の傾斜方向および屋根９の最上部のそれぞれに設けるとともに、屋根９の左右方向及び傾斜方向に沿って熱水もしくは水蒸気を噴出させるようにすれば、屋根９に積もった雪の一部を上下方向にすべて溶かすとともに、上方向から噴出する熱水や水蒸気によって、その溶けた雪を下方へ押し流すこともできるようになる。
【００３２】
なお、本発明は上記実施の形態に限定されることなく、種々の態様で実施することができる。
【００３３】
例えば、上記実施の形態では、水を加熱させて熱水や水蒸気にして噴出させるようにしたが、水分を含むものであればどのようなものであってもよく、例えば、凝固点降下剤として、例えば、塩化カルシウムなどを含ませるようにしてもよい。また、上記実施の形態では、水蒸気を噴出させるようにしたが、熱水を噴出させるようにしてもよい。
【００３４】
また、上記実施の形態では、拡散防止板８として、流水管５の上下を挟み込むような板状を用いるようにしたが、流水管５の孔部６の上下から突出するように設けて構成するようにしてもよい。
【００３５】
さらに、上記実施の形態では、流水管５から熱水や水蒸気を噴出させるようにしたが、噴出を一定時間以上停止させた場合、その内部の水が凍って孔部６などを塞いでしまう可能性がある。このため、その流水管５にヒーターを巻き付けておき、噴出前の一定時間をヒーターで加熱させるようにしてもよい。
【００３６】
また、上記実施の形態では、上下の拡散防止板８を設けるようにしたが、上方の拡散防止板８だけを設けるようにしてもよい。
【符号の説明】
【００３７】
１・・・融雪装置
２・・・加熱装置
３・・・オイルタンク
３１・・・オイル
４・・・ヒーター
５・・・流水管
６・・・孔部
７・・・固定具
８・・・拡散防止板
８１・・・凹部
８２・・・傘部
８３・・・先端
９・・・屋根
９１・・・瓦
【図１】
2012224977.tif 000003
【図２】
2012224977.tif 000004
【図３】
2012224977.tif 000005
【図４】
2012224977.tif 000006
【図５】
2012224977.tif 000007
【図６】
2012224977.tif 000008
【図７】
2012224977.tif 000009
【図８】
2012224977.tif 000010